(57)【要約】【課題】カウンターに腰掛けて楽な姿勢で洗面器を使用できる浴室ユニットを提供する。【解決手段】浴槽と、前記浴槽に隣接して設けられた洗い場と、前記洗い場を隔てて前記浴槽に向き合う第１の壁面と、前記第１の壁面から前記浴槽側に延在する第２の壁面と、のコーナー部近傍に設けられた水栓と、前記水栓の下方から前記浴槽側に延在して設けられた浴室カウンターと、を備え、前記浴室カウンターは、前記水栓全体より下方に設けられ、洗面器を置いた状態で前記水栓から吐水される湯水を前記洗面器に供給可能な洗面器置部と、前記洗面器置部に隣接し、前記洗面器置部と前記浴槽との間に設けられた着座面と、を有することを特徴とする浴室ユニットを提供する。【選択図】図１
2008154996.tif 000002
【特許請求の範囲】
【請求項１】
浴槽と、
前記浴槽に隣接して設けられた洗い場と、
前記洗い場を隔てて前記浴槽に向き合う第１の壁面と、前記第１の壁面から前記浴槽側に延在する第２の壁面と、のコーナー部近傍に設けられた水栓と、
前記水栓の下方から前記浴槽側に延在して設けられた浴室カウンターと、
を備え、
前記浴室カウンターは、
前記水栓全体より下方に設けられ、洗面器を置いた状態で前記水栓から吐水される湯水を前記洗面器に供給可能な洗面器置部と、
前記洗面器置部に隣接し、前記洗面器置部と前記浴槽との間に設けられた着座面と、
を有することを特徴とする浴室ユニット。
【請求項２】
前記第１の壁面に、シャワーヘッドを掛止することが可能なフック部が設けられることを特徴とする請求項１記載の浴室ユニット。
【請求項３】
前記第１の壁面に、上下方向に延在したバー部材が設けられ、
前記フック部は、前記バー部材に対して上下動自在に係合されてなることを特徴とする請求項２記載の浴室ユニット。
【請求項４】
前記水栓は、その上面が棚部であり、その下面から下方に向けてカランが突出した棚付き水栓であることを特徴とする請求項１〜３のいずれか１つに記載の浴室ユニット。
【請求項５】
水平方向にみて前記着座面の全体は前記棚付き水栓より前記浴槽側に配置され、且つ水平方向にみて前記棚付き水栓と前記着座面とは離間してなることを特徴とする請求項４記載の浴室ユニット。
【請求項６】
前記カランは、鉛直方向の軸の回りに回動可能とされたことを特徴とする請求項４記載の浴室ユニット。
【請求項７】
前記カランの吐水口は、前記棚部から突出した位置まで回動可能であることを特徴とする請求項６記載の浴室ユニット。
【請求項８】
前記棚部は、
前記第１の壁面に隣接する長辺側対辺部と、
前記長辺側対辺部と対向し、前記長辺側対辺部よりも短い短辺側対辺部と、
前記長辺側対辺部と前記短辺側対辺部とを繋ぐと共に前記第２の壁面に隣接する後端辺部と、
前記後端辺部と対向し、前記長辺側対辺部と前記短辺側対辺部とを繋ぐ斜辺部と、
を有することを特徴とする請求項４〜７のいずれか１つに記載の浴室ユニット。
【請求項９】
前記カランは、その大部分が常に前記棚部の下方に配置され、先端の一部が前記棚部から突出可能とされたことを特徴とする請求項６または７に記載の浴室ユニット。
【発明の詳細な説明】
【技術分野】
【０００１】
本発明は、浴室に設置される浴室ユニットに関する。
【背景技術】
【０００２】
従来、浴室内にカウンターを設け、入浴者がそのカウンターに着座した状態で洗体や洗髪を行えるようにした浴室ユニットがある（例えば、特許文献１参照。）が、着座した状態で同じカウンター上に洗面器を置くスペースは確保されていない。したがって、洗面器を使って洗顔等を行うには、洗い場床に置いた風呂椅子に座った状態で、カウンター上に洗面器を置いて使用することになる。特に高齢者や足腰の不自由な人にとって、風呂椅子に腰掛けたり、風呂椅子から立ち上がったりする動作は負担であり、浴室壁面に寄りかかりつつゆったりとした姿勢をとれるカウンターに着座した状態で楽に洗面器を使えるようにすることが望ましい。
【０００３】
特許文献２には、入浴者がカウンター上に腰掛けた状態で洗面器もカウンター上に置かれた図が開示されているが、着座部と洗面器置部との間には各種物品が載置できる棚板が設けられ、着座部と洗面器置部とは離れているため、カウンターに腰掛けた状態で洗面器を使うことはできない。
【特許文献１】特開２００１−１３７１４７号公報
【特許文献２】特開２００２−６１２４５号公報
【発明の開示】
【発明が解決しようとする課題】
【０００４】
本発明は、カウンターに腰掛けて楽な姿勢で洗面器を使用できる浴室ユニットを提供する。
【課題を解決するための手段】
【０００５】
本発明の一態様によれば、浴槽と、前記浴槽に隣接して設けられた洗い場と、前記洗い場を隔てて前記浴槽に向き合う第１の壁面と、前記第１の壁面から前記浴槽側に延在する第２の壁面と、のコーナー部近傍に設けられた水栓と、前記水栓の下方から前記浴槽側に延在して設けられた浴室カウンターと、を備え、前記浴室カウンターは、前記水栓全体より下方に設けられ、洗面器を置いた状態で前記水栓から吐水される湯水を前記洗面器に供給可能な洗面器置部と、前記洗面器置部に隣接し、前記洗面器置部と前記浴槽との間に設けられた着座面と、を有することを特徴とする浴室ユニットが提供される。
【発明の効果】
【０００６】
本発明によれば、カウンターに腰掛けて楽な姿勢で洗面器を使用できる浴室ユニットが提供される。
【発明を実施するための最良の形態】
【０００７】
以下、図面を参照し、本発明の実施形態について説明する。
【０００８】
図１は、本発明の実施形態に係る浴室ユニットにおける浴室内の斜視図である。
【０００９】
本実施形態に係る浴室ユニットは、主として、浴槽１と、洗い場（床）２と、浴室カウンター７０と、棚付き水栓４とを備える。これらは、壁パネル５、６、７、８（壁パネル８は図１６に図示）及びドアＤＲによって画設された浴室内に配設されている。なお、壁パネルの一部に窓を設けてもよい。
【００１０】
浴槽１は、内槽１１と、この内槽１１の上縁部のまわりに設けられた浴槽リム１２とを有する。浴槽１は、ドアＤＲから見て浴室の奥側に配設され、ドアＤＲに対向する奥側の壁パネル５に隣接している。あるいは、壁パネル５は、浴槽１における奥側の上縁部の上に立設されてもよい。ドアＤＲの横には、浴槽１及び洗い場２を挟んで壁パネル５に対して略平行に対向する壁パネル７が設けられている。浴室出入口及びドアＤＲは、浴槽１の横であって、壁パネル６に向き合う位置に設けてもよい。
【００１１】
浴槽１は、その長辺方向が、壁パネル５、７に対して略平行になる向きで配置されている。浴槽１の手前側に、洗い場床２が浴槽１に隣接して配設されている。
【００１２】
浴槽リム１２は、内槽１１の上縁部から外側に張り出して設けられている。浴槽リム１２において内槽１１の長手方向の両端部にそれぞれ設けられた短辺リム１２ａ、１２ｂのうち一方の短辺リム１２ａは、他方の短辺リム１２ｂよりも短辺側の幅が大きく、この短辺リム１２ａの上に着座可能となっている。この短辺リム１２ａの短辺側の幅ｂは、例えば３０５（ｍｍ）であり、他方の短辺リム１２ｂの短辺側の幅ｃは、例えば２００（ｍｍ）である。内槽１１の長手方向寸法ａは、例えば１１４５（ｍｍ）である。
【００１３】
幅が狭い短辺リム１２ｂにおけるその外側の長辺縁部は、浴槽１側及び洗い場２側で共通な（一体な）壁パネル６に隣接している。あるいは、短辺リム１２ｂの外側の長辺縁部の上に立設される壁パネルと、この壁パネルに対してジョイナーを介して隣接する洗い場床側の壁パネルとを別体で設けてもよい。壁パネル６は、コーナージョイナーを介して、壁パネル７に対して略直角につながっている。幅が広い短辺リム１２ａにおけるその外側の長辺縁部は、図１６に表すように、壁パネル６に対して略平行に対向する壁パネル８に隣接している。
【００１４】
壁パネル６と壁パネル７とのコーナー部には、例えば平面輪郭形状が直角台形状の棚付き水栓４が設けられている。  
図２は、棚付き水栓４の拡大斜視図である。
【００１５】
棚付き水栓４は、互いに平行な一対の対辺部１３、１４と、これら対辺部１３、１４の一端側に設けられ、対辺部１３、１４に対して略直角につながる後端辺部１５と、対辺部１３、１４の他端側に設けられ、対辺部１３、１４に対して傾斜してつながる斜辺部１６とを有する。
【００１６】
一対の対辺部１３、１４のうち長辺側の対辺部１３は壁パネル７に隣接し、後端辺部１５は壁パネル６に隣接している。すなわち、棚付き水栓４は、その長辺側の対辺部１３及び後端辺部１５を壁パネル７から壁パネル６にかけてのコーナー面に沿わせて両壁パネル６、７に取り付けられている。長辺側の対辺部１３は、短辺側の対辺部１４よりも長い。なお、棚付き水栓４の上方における壁パネル７の壁面に鏡を設けてもよい。このように、洗い場２を隔てて浴槽１に向き合う壁パネル７（第１の壁面）に長辺側の対辺部１３が取り付けられ、第１の壁面から浴槽１側に延在する壁パネル６（第２の壁面）に後端辺部１５が取り付けられることによって、棚付き水栓４は壁パネル７と壁パネル６とのコーナー部近傍に取り付けられることになる。なお、着座面７１を有するカウンター７０は、この壁パネル７と壁パネル６に取り付け固定されている。
【００１７】
図２０は、棚付き水栓４とカウンター７０が壁パネル７と壁パネル６とのコーナー部近傍に取り付けられた状態を上方からみた平面図である。
このように、短辺側の対辺部１４は全体がカウンター７０の前端部４１より奥側の壁パネル６側に配置されているのに対して、長辺側の対辺部１３は一部（前端部）がカウンター７０の前端部４１より手前側の壁パネル８側に突出した位置に配置されている。そして、短辺側の対辺部１４と長辺側の対辺部１３を結ぶように斜辺部１６が形成されている。つまり、後述する壁パネル７の棚付き水栓４より手前側の壁パネル８側に取り付けられたシャワーヘッド２２を、使用者がフック部３２に着脱する際に、棚付き水栓４が邪魔になったり、誤ってぶつかってしまうことを防止できる。
【００１８】
また、棚付き水栓４の全体をカウンター７０の前端部４１より奥側の壁パネル６側に配置することによって、棚付き水栓４の上面３４の面積を最大限大きく確保することが可能となるため、棚付き水栓４の上面３４により多くの小物を置くことが可能となる。また、一端がシャワーヘッド２２と接続されるシャワーホース２１の他端は棚付き水栓４内部に収納されている水栓本体に接続されている。具体的には、棚付き水栓４の内部で接続され、棚付き水栓４下面に形成された図示しない孔から突出するようにシャワーホース２１が出ている。この孔をカウンター７０の前端部４１より手前側の壁パネル８側に突出した位置に形成することにより、シャワーヘッド２２をフック部３２に保持している状態において、カウンター７０の上面（洗面器置部４９の上面）にシャワーホース２１が触れにくくなる。特に、洗面器置部４９上は使用済みの汚水も流れる部分であるため、その上にシャワーホース２１が触れていると、ホースに汚れが付着する恐れがあったが、孔をカウンター７０の前端部４１より手前側の壁パネル８側に突出した位置に形成したため、この問題は低減される。
【００１９】
棚付き水栓４の下面には、図示しないカラン用湯水供給口に接続されたカラン１７が取り付けられている。本実施形態において、カラン１７は鉛直方向の回動軸１８に対して回動可能となっている。この鉛直方向の回動軸１８は、棚付き水栓４下面に対して略垂直であり、カラン１７は棚付き水栓４の下面から下方に突出して形成された図示しない基端部と、基端部から略垂直に折曲した図示しない吐水管部と、吐水管部の基端部とは逆側の端部から下方に向けて突出した吐水口部と、を有している。このカラン１７の回動軸１８はカウンター７０の前端部４１より奥側の壁パネル６側に配置されており、カウンター７０の壁パネル７と平行な奥行き方向における中央より前端部４１側であり、棚付き水栓４の壁パネル６と平行な幅方向における中央より着座面７１側に配置されている。
【００２０】
このように、カラン１７は回動軸１８によって水平方向に回動可能となっているが、回動角度はそれぞれ規制されている。具体的には、カラン１７の吐水口を最もカウンター７０の前端部４１側に回動させた状態においては平面視で水栓操作部２５と干渉しない位置までしか回動できないようになっている。カラン１７を壁パネル６と平行にした位置を基準として、その基準位置からカウンター７０の前端部４１側に回動可能な角度は例えば約６５度程度、その基準位置からカウンター７０の後端部（壁パネル６）側に回動可能な角度は例えば約６０度程度となっている。つまり、回動可能な範囲は、吐水口が常に回動軸１８より着座面７１側であり、合計回動角度が例えば約１２５度程度となっている。このような回動角度に規制することで、使用者は壁パネル６を背側にしてカウンター７０の着座面に座った時、および壁パネル６を正面側にして風呂椅子６６に座った時、のいずれであっても無理に体をひねることなくカラン１７から水を出して洗面器６５へ水溜めしたり洗顔したりすることが可能となる。
【００２１】
また、カラン１７の吐水口が棚付き水栓４の上面３４より下方に配置されていると共に下側を向いているため棚付き水栓４からの水が棚付き水栓の上面３４にかかりにくくなる。このように、カウンター７０の上面は使用者が洗髪、洗顔、洗体を行うためウェットゾーンとなるが、棚付き水栓４の上面３４は、カウンター７０の上面よりもドライゾーンとなり、洗面器置き部４９上方のデッドスペースをドライゾーンとして利用することができるため、石鹸やシャンプーボトルなどの小物類の置き台としての利用にも優れている。カウンター７０上に、洗面器置き部４９と小物置き部を設けるなると、カウンター幅が大きく必要となると共に、カウンター７０上に物が多く置かれることになるが、これに対して、本実施形態においては洗面器置部４９の上方を小物置き部（棚付き水栓４上面）として利用できるため、カウンター７０幅を小さくすることができる。
【００２２】
尚、ここでは回動角度を例えば約１２５度程度としたが１８０度未満に設定しても上述した条件を満たせれば問題無い。また、カラン１７の吐水口は常にカウンター７０の直上に配置されると共に、吐水方向の延長線が必ずカウンター７０と干渉するように配置されており、カラン１７からの吐水の着水は常にカウンター７０上になるように配置されている。つまり、使用者が壁パネル６を背側にしてカウンター７０の着座面に着座した際、カラン１７からの着水位置に合わせて洗面器を移動させた場合であっても、洗面器６５の重心がカウンター７０の前端部より奥側の壁パネル６側に位置するようになるため、洗面器６５が落下することを防止できる。また、カラン１７は棚付き水栓４の短辺側対辺部１４および斜辺部１６から突出した位置に回動可能であるため、使用者が着座面７１又は風呂椅子６６に座った状態のいずれの場合においても、使用者がカラン１７から吐水される湯水を直接手ですくって顔を洗うような時に顔が棚にぶつかる危険を低減できる。尚、棚付き水栓４の上面３４の棚部は、使用者がカウンター７０に腰掛けしているときの肘置きとして利用できたり、カウンター７０の立ち座り時の手かけとしても利用できる。
【００２３】
本実施形態では、図２０に示すように、回動可能なカラン１７は使用者の立ち座り時に、誤ってカラン１７を握ってしまうことを防止するために、棚部から突出する寸法を短く形成している。具体的に説明すると、カラン１７の大部分（半分以上）は常に棚部の下に配置されており、吐水口を有する先端の一部が棚部から突出することが可能となっている。このように構成することで、カラン１７を掴みにくくすることができ、立ち座り時にカラン１７に体重を誤ってかけてしまい破損することを防止できる。
【００２４】
別の実施形態として、カラン１７を長くしてもよい。これによって、直接、洗い場床２に着水可能とすることによってバケツへの水溜めも容易になる。なお、カラン１７を設けずに、棚付き水栓４の下面に形成した吐水口から湯水が吐水されるようにしてもよい。また、棚付き水栓４の下面には、シャワー用湯水供給口が形成され、そのシャワー用湯水供給口には、シャワーホース２１の一端が接続され、シャワーホース２１の他端はシャワーヘッド２２に接続されている。
【００２５】
壁パネル７において、ドアＤＲと棚付き水栓４との間の部分（棚付き水栓４よりも壁パネル８側に配置されており、棚付き水栓４の近傍側）には、シャワーヘッド保持部３３が設けられている。シャワーヘッド保持部３３は、上下方向に延在して設けられたバー部材３１と、このバー部材３１に対して上下動自在に係合し、シャワーヘッド２２を掛止することが可能なフック部３２とを有する。シャワーヘッド２２は、フック部３２に掛けられた状態でフック部３２ごとバー部材３１に沿って上下動可能となっている。また、バー部材３１は手すりも兼ねている。このようにバー部３１は手すりの機能も有しているため、風呂椅子６６に座った状態、又はカウンター７０の着座面７１に着座した状態、のいずれにおいても立ち上がりの際と着座する際とに利用できる。
【００２６】
この時、フック部３２がバー部材３１に沿って最下位置に移動した状態は棚付き水栓４のカラン１７の上方近傍である。本発明のようにカウンター７０の着座面７１と風呂椅子６６との両方に着座可能とした場合、それぞれの高さ位置は異なることが多い。特にカウンター７０の着座面７１は、浴槽１への移乗にも利用するため浴槽リム１２上面と略同一高さとなっており、一般的に風呂椅子６６より高い位置に配置される。フック部３２にシャワーヘッド２２を保持した状態で、シャワー吐水を行うことで使用者は両手を自由に使うことが可能となるため、特に洗髪時などに有効である。本実施形態によれば、バー部材３１に沿ってフック部３２の高さ位置が変更可能であるため、カウンター７０の着座面７１と風呂椅子６６とのいずれに着座した場合であっても、手が届き易い位置や、洗髪する際に適した位置など、使用者の任意の高さにシャワーヘッド２２を配置できる。
【００２７】
なお、カウンター７０の着座面７１と風呂椅子６６とのいずれに着座した場合においても、フック部３２にシャワーヘッド２２を保持させたまま、洗髪や洗体が行えるようにするためシャワーヘッド２２の方向は自由に変更可能となっている。つまり、カウンター７０の着座面７１側に向けての吐水と、カウンター７０より手前側の洗い場２床側への吐水の両方が可能なように角度調整可能となっている。
【００２８】
このように、着座面７１に対して洗面器６５への水溜めや洗顔時の利用に適した棚付き水栓４、および洗髪や洗体に適したシャワーヘッド２２、の両者は浴槽１と向き合う壁パネル７側に偏って配置されている。棚付き水栓４とシャワーヘッド２２を纏めて着座面７１から壁パネル７側に配置したことにより、半身麻痺の使用者が壁パネル６を背側にしてカウンター７０の着座面７１に座った状態、若しくは壁パネル６を正面側にして風呂椅子６６に座った状態、のいずれか一方に着座することで、棚付き水栓４とシャワーヘッド２２の両方を着座したまま使用することが可能となる。
【００２９】
つまり、図１０と図１１に示すように右半身が麻痺している使用者は、壁パネル６を背側にしてカウンター７０の着座面７１に着座することで左手を利用して棚付き水栓４とシャワーヘッド２２の両方を着座したまま使用することが可能となる。また、図１３と図１４に示すように左半身が麻痺している使用者は、壁パネル６を正面側にして風呂椅子６６に着座することで右手を利用して棚付き水栓４とシャワーヘッド２２の両方を着座したまま使用することが可能となる。
【００３０】
さらに、棚付き水栓４とシャワーヘッド２２の吐水／止水、温度調整や棚付き水栓４とシャワーヘッド２２の吐水切替えを行うための水栓操作部２５も着座面７１に対して棚付き水栓４およびシャワーヘッド２２と同様に、浴槽１と向き合う壁パネル７側に配置することで、図９や図１２に示すように半身麻痺の使用者が着座したまま一連の行為を行うことが可能となる。
【００３１】
斜辺部１６は、両壁パネル６、７に対して傾斜しつつ洗い場２に臨んで位置し、この斜辺部１６に水栓操作部２５が設けられている。水栓操作部２５は、具体的には、カラン開閉操作部２６と、シャワー開閉操作部２７とを有する。カラン開閉操作部２６は、斜辺部１６と短辺側の対辺部１４との間の角部近くに設けられ、カラン開閉操作部２６の横にシャワー開閉操作部２７が並んで設けられている。カラン１７とシャワーヘッド２２とは、水栓操作部２５が設けられた斜辺部１６を挟んで配置され、斜辺部１６においてカラン１７側にカラン開閉操作部２６が設けられ、シャワーヘッド２２側にシャワー開閉操作部２７が設けられている。
【００３２】
カラン開閉操作部２６は、下方に押し込まれることで、カラン用湯水供給口を開閉する。同様に、シャワー開閉操作部２７は、下方に押し込まれることで、シャワー用湯水供給口を開閉する。カラン開閉操作部２６の押圧面２６ａ及びシャワー開閉操作部２７の押圧面２７ａは、棚上面３４における斜辺部１６寄りの端に位置している。
【００３３】
棚付き水栓４の上面３４には、カラン１７やシャワーヘッド２２から吐水される湯水の温度を調整する温度調節ハンドル２８が設けられている。この棚付き水栓４は全体がカウンター７０の洗面器置部４９の上方に配置されており、棚付き水栓４と洗面器置部４９との間に所定の空間スペースが形成されている。
【００３４】
図２０に表したように、棚付き水栓４の前端辺部にあたる斜辺部１６に設けられた水栓操作部２５は、カウンター７０の前端辺部（斜辺部１６）近傍に配置されており、その一部がカウンター７０の前端部４１から壁パネル８側に突出した位置に配置されている。具体的には、カラン開閉操作部２６は全体がカウンター７０の前端部４１より壁パネル６側に配置され、シャワー開閉操作部２７が一部はカウンター７０の前端部４１より奥側の壁パネル６側に配置されると共に、残部がカウンター７０の前端部４１より手前側の壁パネル８側に配置されている。また、カラン開閉操作部２６の方が、シャワー開閉操作部２７よりも壁パネル６側および着座面７１側に配置されている。更に、水栓操作部２５は棚付き水栓４の斜辺部１６の中央より着座面７１側の偏心した位置に中央が配置されるようになっている。
【００３５】
このような構成にしたことで、使用者が壁パネル６を背側にしてカウンターの着座面７１に座った時、若しくは壁パネル６を正面側にして風呂椅子に座った時、のいずれであっても無理に体をひねる事なく水栓操作部２５を操作することができる。使用者が壁パネル６を背側にしてカウンター７０の着座面７１に座って水栓操作部２５を操作しようとする際、使用者は少し体を左側にひねることが必要になるが、棚付き水栓４の前端部が傾斜した斜辺部１６となっているため、使用者は誤って腕を棚付き水栓４にぶつけにくくなっている。
【００３６】
浴室カウンター７０は、棚付き水栓４の下方における壁パネル７の壁面に隣接し、その部分から、浴槽１における幅が狭い短辺リム１２ｂ近傍に向けて延在して洗い場２に配設されている。浴室カウンター７０において、洗い場２側から見た後端部４２は壁パネル６の壁面に隣接し、その後端部４２から洗い場２側に略水平に突き出るようにして設けられている。
【００３７】
浴室カウンター７０の後端部４２は、浴槽１における短辺リム１２ｂの外側の長辺縁部の延長上に位置し、その後端部４２と、洗い場２側に臨む前端部４１との間の幅ｄは、短辺リム１２ｂの幅ｃより大きく、例えば４３０ｍｍである。
【００３８】
浴室カウンター７０は、強度や防水性などを考慮して、例えばＦＲＰ（Fiber Reinforced Plastic）からなるカウンター本体７５を備える。棚付き水栓４の下方におけるカウンター本体７５表面は洗面器置部４９として機能する。洗面器置部４９に洗面器を置いた状態でカラン１７の吐水口が洗面器に対向し、その吐水口から吐水される湯水を洗面器に供給することが可能となっている。このように、洗面器置部４９をカウンター７０上に設けたことにより、壁パネル６を背にして着座面７１に着座した際に、着座面７１より高さの低い風呂椅子６６上に洗面器６５を置く必要が無いため、使用者が前方に乗り出して腰を曲げる必要がなくなり使用者の負担が少なくなる。
【００３９】
図３は、浴室カウンター７０の拡大斜視図である。
【００４０】
洗面器置部４９に隣接して、カウンター本体７５に一体に設けられた着座面７１、および着座面７１のまわりに着座面７１よりも低く形成された排水路７２ａ〜７２ｅが設けられている。
【００４１】
着座面７１は、浴槽リム１２上面と略同じ高さに設けられている。また、意匠性や、座ったときの感触等を向上させるため、ＦＲＰからなるカウンター本体７５とは異なる材料（例えばＡＢＳ樹脂材）を貼り付ける、あるいは埋め込むなどして着座面７１が構成される。ここで、着座面７１と洗面器置部４９は別体であり、着座面７１より壁パネル７側のカウンター７０上面が洗面器置部４９となる。着座面７１には、石鹸水などで着座面７１上がすべりやすくなっても、着座者は着座面７１上からずれ落ちることなく安定して腰掛けられるようなずれ落ち防止手段を備えているが、洗面器置部４９には上記のようなずれ落ち防止手段は備えていない。
【００４２】
また、水平方向にみて、洗面器置部４９と着座面７１との境目となる隣接部は棚付き水栓４よりも浴槽１側に配置される。つまり、図２０に示すように、棚付き水栓４の短辺側対辺部１４よりも洗面器置部４９の壁パネル７と対向する側の端辺部５５の方が浴槽１側に配置されている。また、カラン１７は壁パネル６と平行にした状態ではカラン１７の先端部は棚付き水栓４の短辺側対辺部１４よりも浴槽１側に突出した位置に配置されるが、カラン１７の先端部よりも洗面器置部４９の壁パネル７と対向する側の端辺部５５の方が浴槽１側に配置されている。つまり、使用者が壁パネル６を背側にしてカウンター７０の着座面７１に座って洗面器置部４９に洗面器６５を置いた時でも、カラン１７を含めた棚付き水栓４全体と着座面７１の間には水平方向にみて空間スペースが形成されているため、使用者が作業するスペースが確保される。
【００４３】
例えば、洗顔時を例に挙げると、使用者は洗面器置部４９に洗面器６５を置いた状態でカラン１７を着座面７１側に引き寄せた位置に回動させて洗面器６５内への湯溜めを行い、棚付き水栓４の上面３４に置いてある洗顔フォームを手に取って洗面器６５内の湯を使いながら洗顔行為を行うが、棚付き水栓４と着座面７１との間のスペースに手や上半身を動かすための空間スペースが形成されているため、棚付き水栓４が邪魔にならない。また、棚付き水栓４の上面３４からの水はカウンター７０上に落下することになるが、落下した水は洗面器置部４９もしくは床面に落ち、着座面７１の上には落下しない。使用者にカウンター７０上の湯水が落下しないため、使用者にかかりにくくなり不快感を感じずに済む。
【００４４】
浴室カウンター７０の背後の壁パネル６は、着座面７１に着座した着座者の背もたれとして機能する。その壁パネル６において、着座者の背中が接触する部分には、着座面７１と同様例えばＡＢＳ樹脂からなる背もたれ部５２が設けられている。
【００４５】
カウンター本体７５と浴槽１との間における、浴槽リム１２の上面、着座面７１及び排水路７２ａ〜７２ｅよりも低く下がった位置に凹状の排水溝４７が設けられている。排水溝４７と浴槽１との間には、わずかな隙間が形成されている。排水溝４７の長さはカウンター本体７５の幅ｄと略同じもしくは短い。排水溝４７の幅は約４０ｍｍである。排水溝４７には、壁パネル６に隣接する後端部から洗い場２に臨む前端部に向かう方向に例えば１／５０の下り勾配がつけられている。
【００４６】
着座面７１と洗面器置部４９との間には、浴室カウンター７０の短手方向に沿って排水路７２ｄ、７２ｅが形成されている。排水路７２ｄ、７２ｅは、着座面７１及び洗面器置部４９よりも低い溝として形成されている。排水路７２ｄ、７２ｅには、壁パネル６側（後端側）から洗い場２側（前端側）に向かう方向に下り勾配がつけられ、また排水路７２ｅにおいて洗い場２側の前端は開放端となっているため、排水路７２ｄ、７２ｅに流れ込んだ湯水は洗い場２側に向けて流れ、洗い場２の床に落下する。
【００４７】
着座面７１を浴室カウンター７０の短手方向に２分割するように、浴室カウンター７０の長手方向に沿って排水路７２ａが形成されている。着座面７１の前端側には排水路７２ｂが形成され、着座面７１の後端側には排水路７２ｃが形成されている。排水路７２ｂ、７２ｃは、排水路７２ａに対して略平行に形成されている。排水路７２ａ〜７２ｃのそれぞれの一端（図３において右端）は排水路７２ｄ、７２ｅにつながっており、それぞれの他端（図３において左端）は排水溝４７につながっている。
【００４８】
排水路７２ａ、７２ｃは、排水路７２ｄ、７２ｅ側から排水溝４７側に向かう方向に下り勾配がつけられている。排水路７２ｂは、その長手方向の中央から排水路７２ｄ、７２ｅに向かう方向に下り勾配が付けられていると共に、その長手方向の中央から排水溝４７に向かう方向に下り勾配がつけられている。
【００４９】
排水路７２ａによって分割されたそれぞれの着座面７１において、排水路７２ｂ、７２ｃにそれぞれ最も近い部分は略同じ高さとなっており、その部分から排水路７２ａに向かいつつ且つ排水溝４７に向かう方向に下り勾配がつけられている。着座面７１において洗面器置部４９に最も近い部分には、排水路７２ａに向かって例えば１／３２の下り勾配がつけられ、排水溝４７に最も近い部分には、排水路７２ａに向かって例えば１／１６の下り勾配がつけられている。着座面７１において排水路７２ａに最も近い部分には、排水溝４７に向かって緩やかな（例えば１／１８０または１／９０の）下り勾配がつけられている。
【００５０】
浴室カウンター７０において着座者が着座する部分に、前述したような勾配をつけることで、排水路７２ａの溝幅それほど広く確保しなくても、また溝深さをそれほど深くしなくても、十分な排水性が得られる。したがって、排水路７２ａの溝幅を狭くできることで、着座者の臀部に違和感を与えにくくでき、また排水路７２ａを浅くできることで清掃性を向上させることができる。
【００５１】
本実施形態によれば、浴室カウンター７０の着座面に着座した状態で、洗体や洗髪を行える。
【００５２】
図９は、着座面７１に着座した状態で水栓操作部２５を操作する動作を表す模式図である。  
図１０は、着座面７１に着座した状態で洗面器置部４９に置かれた洗面器６５を使う動作を表す模式図である。  
図１１は、着座面７１に着座した状態でシャワーヘッド２２に手を伸ばしてシャワーヘッド２２をつかむ動作を表す模式図である。
【００５３】
本実施形態によれば、着座面７１に座った状態で手の届く位置に棚付き水栓４を設け、その棚付き水栓４の下方に、着座面７１に隣接して同じカウンター上に洗面器置部４９を設けたので、着座面７１に腰掛けた状態で、無理な姿勢や動作を強いられることなく、カラン１７から吐水される湯水を洗面器６５に溜めて洗顔などを行うことができる。
【００５４】
特に高齢者や足腰の不自由な人にとって、風呂椅子に腰掛けたり、風呂椅子から立ち上がったりする動作は負担であり、浴室壁面６に寄りかかりつつゆったりとした姿勢をとれるカウンター３に着座した状態で楽に洗面器６５を使えることは非常に有益である。
【００５５】
洗面器６５は、浴槽１から遠い壁パネル６と壁パネル７とのコーナー部近傍の洗面器置部４９に置かれるので、洗面器６５の使用に際して石鹸水や汚れを落とした湯水が浴槽１内に飛び散って入りにくい。
【００５６】
また、水栓操作部２５は、棚付き水栓４において壁パネル６及び壁パネル７に対して傾斜して洗い場２に臨む斜辺部１６に設けられているため、洗い場２側を向いて着座面７１に着座した着座者の左斜め前方に位置し、自然と視界にも入り、着座者にとって棚付き水栓４に近い左手を無理なく自然と伸ばした位置にもあるため、無理な姿勢や体の使い方を強いられることなく使い勝手がよい。
【００５７】
また、図１１に表すように、シャワーヘッド２２の保持部（バー部材３１及びフック部３２）を、洗い場２側を向いて着座面７１に着座した着座者の左前方に位置する壁パネル７壁面に設けたため、シャワーヘッド２２についても、着座者にとって自然と視界にも入り、壁パネル７側に位置する左手を無理なく伸ばして届く位置にあり、シャワーの使用に際しても無理な姿勢や体の使い方を強いられることなく使い勝手がよい。
【００５８】
また、本実施形態によれば、図１２〜１４に表すように、洗面器置部４９を向いて洗い場２の床上に置いた風呂椅子６６に着座した状態でも、無理な姿勢や体の使い方を強いられることなく水栓操作部２５を操作し、洗面器置部４９に置かれた洗面器６５を使い、シャワーヘッド２２に手を伸ばしてシャワーを使うことができる。
【００５９】
水栓操作部２５を、棚付き水栓４において壁パネル６及び壁パネル７に対して傾斜して洗い場２に臨む斜辺部１６に設けたため、浴室カウンター７０の着座面７１に着座した状態及び洗い場２床に置かれた風呂椅子６６に腰掛けた状態の両状態の使用者のどちらにとっても、水栓操作部２５が自然と視界に入り、且つ自然と手を伸ばして届く位置にあり、使い勝手がよい。
【００６０】
同様に、シャワーヘッド２２についても、棚付き水栓４近傍の壁パネル７に保持されるため、浴室カウンター７０の着座面７１に着座した状態及び洗い場２床に置かれた風呂椅子６６に腰掛けた状態の両状態の使用者のどちらにとっても、シャワーヘッド２２が自然と視界に入り、且つ自然と手を伸ばして届く位置にあり、使い勝手がよい。
【００６１】
例えば、浴室カウンター７０に腰掛けた高齢者等の被介護者にとって、水栓操作部２５、洗面器６５、シャワーが使いやすいのはもちろん、その被介護者の前で風呂椅子座りする介護者にとっても、水栓操作部２５、洗面器６５、シャワーは使いやすく、介護を楽にできる。
【００６２】
なお、図１７に表す浴室カウンター６７のように、洗面器置部６７ｂを、着座面６７ａが設けられた部分よりも洗い場２側に出っ張らせてもよい。この場合、洗面器を、着座面６７ａに腰掛けた着座者に対して真横ではなく左斜め前方に置くことができ、着座者は体を大きくひねらずに洗面器を楽な姿勢で使うことができる。また、風呂椅子座りの使用者にとっても、洗面器をカウンター奥ではなく手前側に置くことができるため使いやすくなる。
【００６３】
また、図１８に表す浴室カウンター６８のように、着座面６８ａの延在方向に対して直角に洗面器置部６８ｂを洗い場側に出っ張らせてもよい。
【００６４】
また、図１９に表す浴室カウンター６９のように、着座面６９ａと洗面器置部６９ｂとの間の部分に、洗い場に臨む前端部側から切り欠いた切り欠き部６９ｃを設けてもよい。この場合、着座面６９ａに着座した状態で、脚を切り欠き部６９ｃに入れることで、体をひねらずに洗面器置部６９ｂを向くことができる。
【００６５】
洗い場２側を向いて浴室カウンター７０の着座面７１に腰掛けた状態では、図９、１１に表すように、着座者の左前方に水栓操作部２５及びシャワーヘッド２２が位置しているため、左手を使った方が、水栓操作部２５の操作やシャワーヘッド２２をつかむ動作を無理なく自然に行える。
【００６６】
洗面器置部４９を向いて洗い場２の床上に置かれた風呂椅子６６に腰掛けた状態では、図１２、１４に表すように、着座者の右前方に水栓操作部２５及びシャワーヘッド２２が位置しているため、右手を使った方が、水栓操作部２５の操作やシャワーヘッド２２をつかむ動作を無理なく自然に行える。
【００６７】
このような構成によって、水栓操作部２５やシャワーを扱う手が左右どちらか一方の手に限定されず、水栓操作部２５やシャワーを左右どちらの手で扱いたいかによって、カウンター座りあるいは風呂椅子座りを選ぶことができる。例えば、左右どちらか一方の手が不自由な使用者にとって、カウンター座りを選択するか風呂椅子座りを選択するかによって、不自由でない方の手もしくは使いやすい方の手で、水栓操作部２５やシャワーを負担なく使うことができる。
【００６８】
また、前述したように、着座面７１には、浴室カウンター７０の短手方向中央に向かう方向に下り勾配がつけられているため、石鹸水などで着座面７１上がすべりやすくなっても、着座者は着座面７１上からずれ落ちることなく安定して腰掛けられる。
【００６９】
着座面７１の短手方向中央から洗い場２側の前端部に向けて上向き傾斜の勾配となっており、且つ浴室カウンター７０の前端部と着座面７１との間に排水路７２ｂが形成されているため、洗体や洗髪に使われ、汚れを洗い落とした湯水が浴室カウンター７０の前端部から落下して、着座者のふくらはぎや足にかかることによる不快感を抑制できる。
【００７０】
浴室カウンター７０上での洗体や洗髪により生じた、汚れを洗い流した湯水は、着座面７１より低い位置に形成された排水路７２ａ〜７２ｃに流れるので、汚れた湯水が着座面７１に着座した着座者の臀部周辺に滞留することを抑制でき、着座者に不快感を与えない。
【００７１】
排水路７２ａ〜７２ｃ内の湯水は、排水溝４７に向かって流れ、排水路７２ａ〜７２ｃより低い位置に形成された排水溝４７に流れ込む。排水溝４７は、洗い場２側に向かって下り勾配がつけられているため、排水溝４７に流れ込んだ湯水は、洗い場２側に向けて流れ、洗い場２の床に落下する。排水溝４７は、浴槽リム１２よりも低い位置に設けられているため、また排水溝４７は比較的広い幅（約４０ｍｍ）を有していることもあって、排水路７２ａ〜７２ｃを流れてきた汚水が内槽１１内に入り込むことがない。
【００７２】
排水溝４７から洗い場２の床に落下した排水は、その床面上につけられた排水勾配に沿って、浴槽１と洗い場２床との境界部近傍に設けられた排水口（図示省略）に流れ込み、浴室内から排水される。排水溝４７は着座面７１に対して横にずれた位置に設けられ、排水溝４７を流れた汚水の洗い場２床上への落下地点と、洗い場２の床に形成された排水口との間には、着座者の足が位置せず、着座者の足に汚水が触れることを回避できる。
【００７３】
排水溝４７は、狭いスリット状ではなく、比較的幅が広く且つ浅い凹状に設けられているため、清掃性が良く、また手が挟まれることもない。また、排水溝４７は、上に出っ張っていない凹状であるため、着座面７１から浴槽１に移乗もしくは浴槽１から着座面７１に移乗するとき、排水溝４７は障害物とならず違和感なく円滑に移乗できる。
【００７４】
洗面器置部４９と着座面７１との間には、それら洗面器置部４９及び着座面７１より低い位置に形成された溝として排水路７２ｄ、７２ｅが設けられており、排水路７２ｄ、７２ｅに流れ込んだ湯水は、洗い場２側に向けて流れ、洗い場２の床に落下する。したがって、洗面器置部４９上で洗面器からあふれた汚水（洗面器内でタオルを洗ったり、顔を洗ったりしたときに生じる湯水）が着座面７１に流れ込まず、着座者に不快感を与えない。
【００７５】
浴室カウンター７０上の湯水は、浴室カウンター７０と浴槽１との境界に設けた排水溝４７以外にも、洗面器置部４９と着座面７１との間に設けた排水路７２ｅを介しても、洗い場２の床上に落下させ浴室カウンター７０上から排水することができる。これにより、排水路７２ｂ、７２ｃ、７２ｄの溝深さをそれほど深くしなくても、それら排水路７２ｂ、７２ｃ、７２ｄから湯水をあふれさせることなく、十分な排水性能を確保できる。排水路７２ｂ、７２ｃ、７２ｄの溝深さを浅くできることで、それら排水路７２ｂ、７２ｃ、７２ｄの清掃性が良くなる。
【００７６】
また、本実施形態によれば、図１５に表すように、浴室カウンター７０の着座面７１に腰掛けつつ、浴槽１に対して出入りすることができる。
【００７７】
浴槽１に入るときは、まず、洗い場２側を向いて浴室カウンター７０の着座面７１に腰掛けた後、体を浴槽１側に向けて、右手で短辺リム１２ｂ上方の壁パネル６壁面に取り付けられた手すり５６をつかみ、左手で浴室カウンター７０の前端部４１をつかんで体を支えつつ、右脚から順に両脚を内槽１１に入れた後、上半身を浴室カウンター７０の着座面７１上から内槽１１内に移乗させる。
【００７８】
浴槽１から出るときは、入るときと逆に、まず、上半身を内槽１１内から浴室カウンター７０に移乗させて着座面７１に腰掛けた後、左脚から順に両脚を内槽１１から出しつつ体を洗い場２側に向ける。
【００７９】
また、浴室カウンター７０が設けられた短辺リム１２ｂの反対側の短辺リム１２ａは、短辺リム１２ｂよりも幅が広く、人が腰掛けるのに十分な幅ｂ（例えば３０５ｍｍ）を有している。したがって、図１６に表すように、その短辺リム１２ａに腰掛けつつ、浴槽１に対して出入りすることができる。
【００８０】
浴槽１に入るときは、まず、洗い場２側を向いて短辺リム１２ａに腰掛けた後、体を浴槽１側に向けて、左手で壁パネル５壁面に取り付けられた手すり５７をつかんで体を支えつつ、左脚から順に両脚を内槽１１に入れた後、上半身を短辺リム１２ａ上から内槽１１内に移乗させる。
【００８１】
浴槽１から出るときは、入るときと逆に、まず、上半身を内槽１１内から短辺リム１２ａに移乗させて短辺リム１２ａ上に腰掛けた後、右脚から順に両脚を内槽１１から出しつつ体を洗い場２側に向ける。
【００８２】
本実施形態によれば、浴槽１の長手方向の両端側それぞれから浴槽１に対して出入りできるが、その移乗に際して人が腰掛けるのに十分な広さの短辺リムを片側にだけしか設けていないため、限られた浴槽設置スペース内で、浴槽両端に広いリム面を設ける場合に比べて、内槽１１の長手方向寸法ａの短縮を抑えることができる。この結果、窮屈な入浴感を与えず、快適な入浴が可能となる。
【００８３】
次に、図４〜８を参照して、浴室カウンターの他の具体例について説明する。
【００８４】
図４は、本具体例の浴室カウンター３における着座面の拡大斜視図である。  
図５は、浴室カウンター３と浴槽１との境界部分の拡大斜視図である。  
図６は、図５においてすのこを取り外した状態を表す。  
図７は、浴室カウンター３と浴槽１との境界部分の断面図である。  
図８は、カウンター本体４３における浴槽１側の端部を浴槽１側から見た斜視図である。
【００８５】
浴室カウンター３のカウンター本体４３において、洗面器置部４９に隣接する部分と、排水溝４７との間の部分には凹部が設けられ、その凹部に、すのこ４４が着脱自在に嵌め込まれている。
【００８６】
図６に表すように、凹部４８には、排水路５１が形成されている。すのこ４４は、浴室カウンター３の短手方向に２分割された２つのすのこ４５、４６からなる。それぞれのすのこ４５、４６の縁部には、裏面側に突出するリブ状の側壁５２（図８参照）が一体に設けられ、その側壁５２下端を、凹部４８底面に部分的に設けられた凸部上に載置することで、排水路５１とすのこ４４裏面との間に排水のための空間が確保される。
【００８７】
すのこ４４の上面は着座面として機能し、すのこ４４が凹部４８に嵌めこまれた状態で、その着座面は、凹部４８周辺のカウンター本体４３上面と略面一になり、着座部分には凹凸が形成されない。また、着座面は、洗面器置部４９上面と略面一である。着座面は、浴槽リム１２上面と略同じ高さに設けられている。すのこ４４は、例えばＦＲＰからなるカウンター本体４３とは異なる材料である例えばＡＢＳ樹脂などからなる。
【００８８】
カウンター本体４３と浴槽１との間には、浴槽リム１２の上面及び着座面よりもくぼんだ凹状の排水溝４７が設けられている。図７に表すように、排水溝４７は、バスエプロン５４との間にわずかな隙間を形成してバスエプロン５４に対向している。排水溝４７の長さはカウンター本体４３の幅ｄと略同じもしくは短い。排水溝４７の幅は約４０ｍｍである。排水溝４７には、壁パネル６に隣接する後端部から洗い場２に臨む前端部に向かう方向に例えば１／５０の下り勾配がつけられている。
【００８９】
図６に表すように、排水溝４７側の凹部４８側壁の一部には、排水路５１と排水溝４７とをつなげる連通路５３が形成されている。排水路５１には、排水溝４７に向かう方向に例えば１／１００の下り勾配がつけられている。
【００９０】
着座面には、カウンター前端部４１及び後端部４２のそれぞれから、２つのすのこ４５、４６の分割部分に向かう方向に例えば１／５０の下り勾配がつけられている。
【００９１】
本具体例の浴室カウンター３においても、その着座面は、浴室カウンター３の短手方向中央に向かって前端部側及び後端部側から下り勾配が付けられているため、着座者は着座面上に安定して腰掛けられる。
【００９２】
浴室カウンター３上での洗体や洗髪により生じた、汚れを洗い流した湯水は、すのこ４５、４６上面（着座面）の上記勾配により、２つのすのこ４５、４６間の隙間（約５ｍｍ）に流れ、あるいはすのこ４５、４６とカウンター本体４３との隙間に流れ、それら隙間から、すのこ４５、４６が嵌め込まれた凹部４８（図６）に落ちる。このため、汚れた湯水が着座者の臀部周辺に滞留することを抑制でき、着座者に不快感を与えない。
【００９３】
凹部４８に落下した汚水は、その凹部４８に形成され、排水溝４７に向かう方向に下り勾配がつけられている排水路５１を排水溝４７に向けて流れ、連通路５３を通って排水溝４７に流れ込む。排水溝４７に流れ込んだ汚水は、洗い場２側に向かって流れ、洗い場２の床に落下する。
【００９４】
また、カウンター７０と洗い場２（床パン）は必ずしも別体である必要はなく、一体としてもよい。こうすることで、カウンターの支持材を省略化できることによるコスト削減効果と施工性の向上とが可能となる。
【図面の簡単な説明】
【００９５】
【図１】本発明の実施形態に係る浴室ユニットにおける浴室内の斜視図である。
【図２】本発明の実施形態に係る浴室ユニットにおける棚付き水栓の拡大斜視図である。
【図３】本発明の実施形態に係る浴室ユニットにおける浴室カウンターの拡大斜視図である。
【図４】本発明の実施形態に係る浴室ユニットにおいて他の具体例の浴室カウンターの着座面の拡大斜視図である。
【図５】図４に表す浴室カウンターと浴槽との境界部分の拡大斜視図である。
【図６】図５においてすのこを取り外した状態を表す。
【図７】図４に表す浴室カウンターと浴槽との境界部分の断面図である。
【図８】図４に表す浴室カウンターにおけるカウンター本体の浴槽側の端部を浴槽側から見た斜視図である。
【図９】本実施形態において、浴室カウンターの着座面に着座した状態で水栓操作部を操作する動作を表す模式図である。
【図１０】本実施形態において、浴室カウンターの着座面に着座した状態で洗面器置部に置かれた洗面器を使う動作を表す模式図である。
【図１１】本実施形態において、浴室カウンターの着座面に着座した状態でシャワーヘッドに手を伸ばしてシャワーヘッドをつかむ動作を表す模式図である。
【図１２】本実施形態において、洗い場床上に置かれた風呂椅子に腰掛けた状態で水栓操作部を操作する動作を表す模式図である。
【図１３】本実施形態において、洗い場床上に置かれた風呂椅子に腰掛けた状態で洗面器置部に置かれた洗面器を使う動作を表す模式図である。
【図１４】本実施形態において、洗い場床上に置かれた風呂椅子に腰掛けた状態でシャワーヘッドに手を伸ばしてシャワーヘッドをつかむ動作を表す模式図である。
【図１５】本発明の実施形態において、浴室カウンターを使った浴槽に対する出入りを説明するための模式図である。
【図１６】本発明の実施形態において、浴槽リムを使った浴槽に対する出入りを説明するための模式図である。
【図１７】本発明の他の実施形態に係る浴室カウンターの模式平面図である。
【図１８】本発明のさらに他の実施形態に係る浴室カウンターの模式平面図である。
【図１９】本発明のさらに他の実施形態に係る浴室カウンターの模式平面図である。
【図２０】本発明の浴室ユニットにおける浴室内の平面図である。
【符号の説明】
【００９６】
１…浴槽、２…洗い場、３，７０…浴室カウンター、４…棚付き水栓、１１…内槽、１２…浴槽リム、１６…斜辺部、２２…シャワーヘッド、２５…水栓操作部、４９…洗面器置部、７１…着座面
【図１】
2008154996.tif 000003
【図２】
2008154996.tif 000004
【図３】
2008154996.tif 000005
【図４】
2008154996.tif 000006
【図５】
2008154996.tif 000007
【図６】
2008154996.tif 000008
【図７】
2008154996.tif 000009
【図８】
2008154996.tif 000010
【図９】
2008154996.tif 000011
【図１０】
2008154996.tif 000012
【図１１】
2008154996.tif 000013
【図１２】
2008154996.tif 000014
【図１３】
2008154996.tif 000015
【図１４】
2008154996.tif 000016
【図１５】
2008154996.tif 000017
【図１６】
2008154996.tif 000018
【図１７】
2008154996.tif 000019
【図１８】
2008154996.tif 000020
【図１９】
2008154996.tif 000021
【図２０】
2008154996.tif 000022
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
浴槽と、
前記浴槽に隣接して設けられた洗い場と、
前記洗い場を隔てて前記浴槽に向き合う第１の壁面と、前記第１の壁面から前記浴槽側に延在する第２の壁面と、のコーナー部近傍に設けられた水栓と、
前記水栓の下方から前記浴槽側に延在して設けられた浴室カウンターと、
を備え、
前記浴室カウンターは、
前記水栓全体より下方に設けられ、洗面器を置いた状態で前記水栓から吐水される湯水を前記洗面器に供給可能な洗面器置部と、
前記洗面器置部に隣接し、前記洗面器置部と前記浴槽との間に設けられた着座面と、
を有し、
前記洗面器置部と前記着座面との間には、前記浴室カウンターの短手方向に沿って形成された第１の排水路が設けられ、
前記洗面器置部からの湯水は、前記第１の排水路に流れ込んで前記洗い場の床に排水され、前記着座面に流れ込むことが抑制されてなることを特徴とする浴室ユニット。
【請求項２】
前記着座面には、前記浴室カウンターの短手方向に前記着座面を２分割するように、前記浴室カウンターの長手方向に沿って形成された第２の排水路が設けられ、
前記２分割された着座面は、それぞれ前記第２の排水路に向かう方向に下り勾配が設けられていることを特徴とする請求項１記載の浴室ユニット。
【請求項３】
前記第２の排水路は、前記浴室カウンターの短手方向の略中央に形成されてなることを特徴とする請求項２記載の浴室ユニット。
【請求項４】
前記水栓は、その上面が棚部とされ、その下面にカランが取り付けられた棚付き水栓であり、
前記第１の排水路は、水平方向にみて、前記棚付き水栓よりも前記浴槽側に設けられたことを特徴とする請求項１〜３のいずれか１つに記載の浴室ユニット。
【請求項５】
前記着座面は、前記第２の排水路から前記浴室カウンターの前端部に向けて上向き傾斜の勾配とされ、
前記浴室カウンターの前端部と前記着座面との間には、前記浴室カウンターの長手方向に沿って形成された第３の排水路が設けられていることを特徴とする請求項２または３に記載の浴室ユニット。
【請求項６】
前記第１の排水路の前記洗い場側の前端は、開放端とされ、
前記第２の排水路と前記第３の排水路は、前記浴室カウンターと前記浴槽との間に形成された排水溝に向かって下り勾配が設けられ、
前記第１の排水路、前記第２の排水路及び前記第３の排水路に流れ込んだ湯水が、前記開放端及び前記排水溝から前記洗い場の床に排水されることを特徴とする請求項５記載の浴室ユニット。
【手続補正２】
【補正対象書類名】明細書
【補正対象項目名】０００５
【補正方法】変更
【補正の内容】
【０００５】
本発明の一態様によれば、浴槽と、前記浴槽に隣接して設けられた洗い場と、前記洗い場を隔てて前記浴槽に向き合う第１の壁面と、前記第１の壁面から前記浴槽側に延在する第２の壁面と、のコーナー部近傍に設けられた水栓と、前記水栓の下方から前記浴槽側に延在して設けられた浴室カウンターと、を備え、前記浴室カウンターは、前記水栓全体より下方に設けられ、洗面器を置いた状態で前記水栓から吐水される湯水を前記洗面器に供給可能な洗面器置部と、前記洗面器置部に隣接し、前記洗面器置部と前記浴槽との間に設けられた着座面と、を有し、前記洗面器置部と前記着座面との間には、前記浴室カウンターの短手方向に沿って形成された第１の排水路が設けられ、前記洗面器置部からの湯水は、前記第１の排水路に流れ込んで前記洗い場の床に排水され、前記着座面に流れ込むことが抑制されてなることを特徴とする浴室ユニットが提供される。